(57)【要約】【課題】  少ない部品点数で上向きでも下向きでも同様の操作感を得ることのできるディスプレイの方向調整装置を提供する。【解決手段】  円柱状の凸曲面１１ｂを有し、ディスプレイ１０を保持する可動ブラケット１１と、前記凸曲面と摺接する円柱状の凹曲面１２ａを有するベース部材１２とからなり、前記凸曲面および凹曲面の中心は、前記ディスプレイと可動ブラケットの構成する重心と一致するので、戻しバネ等を必要とすることなく、上向きでも下向きでも同様の操作感を得ることができる。また、ディスプレイの保持力を小さくすることができる。【選択図】  図５
2005184604.tif 000002
【特許請求の範囲】
【請求項１】
円柱状の凸曲面を有し、ディスプレイを保持する可動ブラケットと、前記凸曲面と摺接する円柱状の凹曲面を有するベース部材とからなり、前記凸曲面および凹曲面の中心は、前記ディスプレイと可動ブラケットの構成する重心と略一致することを特徴とするディスプレイの方向調整装置。
【請求項２】
前記可動ブラケットとベース部材とは、摺動部材によりチルト方向にのみ摺動可能に支承されたことを特徴とする請求項１に記載のディスプレイの方向調整装置。
【請求項３】
前記可動ブラケットは、凸曲面にチルト範囲規制部材を有すると共に、前記ベース部材は、凹曲面に前記チルト範囲規制部材の遊嵌する長穴を備えたことを特徴とする請求項２に記載のディスプレイの方向調整装置。
【請求項４】
前記チルト範囲規制部材は、可動ブラケットの凸曲面から袋状に膨出されると共に、中央部の幅を狭く構成したことを特徴とする請求項３に記載のディスプレイの方向調整装置。
【請求項５】
前記ベース部材の凹曲面は、下端側に向かって曲率半径が大きく形成されたことを特徴とする請求項１〜４の何れか１に記載のディスプレイの方向調整装置。
【請求項６】
前記可動ブラケットの凸曲面は、下端側に向かって曲率半径が小さく形成されたことを特徴とする請求項１〜５の何れか１にディスプレイの方向調整装置。
【請求項７】
前記可動ブラケットの凸曲面の円周は、前記ベース部材の凹曲面の円周より長く形成されたことを特徴とする請求項１〜６の何れか１にディスプレイの方向調整装置。
【発明の詳細な説明】
【技術分野】
【０００１】
本発明は、パーソナルコンピュータやテレビジョンのディスプレイ、特に液晶ディスプレイ、プラズマディスプレイ等のチルト角度を自由に変更することのできるディスプレイの方向調整装置に関する。
【背景技術】
【０００２】
従来、テレビやコンピュータディスプレイのチルト機構は、支持する回動軸に荷重を付与する機構を備えたものが一般的であった。また、大きいサイズのディスプレイを支持するものにあっては、バネアシスト機構によりディスプレイを持ち上げるサポート機構が必要であった。例えば、図６に示すように、ディスプレイを取り付ける可動ブラケット１は、外部カバー２に覆われると共に、ベース部材３にナット、シャフト、コイルバネ、ワッシャ等からなる摺動部品４により回動可能に支持されていた。また、ディスプレイの重心Ｇから摺動軸までの距離は、Ｌである。
【０００３】
また、モニターテレビ等の表示装置の角度調整装置として、球面椀状部と球面凹状部を組み合わせ、シャフト、コイルバネ等で支持するものが実開平６−９２７７号等に開示されている。更に、ディスプレイの重心と、これを回動自在に支持する曲面板の中心を一致させたものが特開２００３−１８５０８８号公報等に開示されている。
【特許文献１】実開平６−９２７７号公報
【特許文献２】特開２００３−１８５０８８号公報
【発明の開示】
【発明が解決しようとする課題】
【０００４】
しかし、上記従来のディスプレイの方向調整機構は、回転軸に荷重発生機構を備えたヒンジを使用している為に、部品点数が多くなると言う問題が存在した。また、製品を支えるのに必要な保持力が大きく、大きいサイズのディスプレイを持ち上げる為には、バネアシスト機構によるサポート機構が必要であった。さらに、ヒンジは、金属製でなければならず、その外観を隠すためのカバーが必要であった。
【０００５】
実開平６−９２７７号公報に開示された調整装置では、表示装置をほぼ水平に支持するものであり、本発明のディスプレイの方向調整装置のようにほぼ鉛直状態で支持するものと異なる。
特開２００３−１８５０８８号公報等に開示されている構造では、曲面板とローラという小さな接触面積で支持しているため、負荷が大きくなり故障し易く、合成樹脂等により製造することは困難であった。
【０００６】
上記問題点を解決するため本発明は、可動ブラケットとベース部材を大きな摺動面積で接触させて摩擦力を得ることで、少ない負荷で確実に保持することのできるディスプレイの方向調整装置を提供することを目的としている。
【課題を解決するための手段】
【０００７】
上記目的を達成するため、本発明に係るディスプレイの方向調整装置は、円柱状の凸曲面を有し、ディスプレイを保持する可動ブラケットと、前記凸曲面と摺接する円柱状の凹曲面を有するベース部材とからなり、前記凸曲面および凹曲面の中心は、前記ディスプレイと可動ブラケットの構成する重心と略一致することを特徴とする。
【０００８】
また本発明において、前記可動ブラケットとベース部材とが摺動部材によりチルト方向にのみ摺動可能に支承されたことを特徴とする。
【０００９】
また本発明において、前記可動ブラケットは、凸曲面にチルト範囲規制部材を有すると共に、前記ベース部材は、凹曲面に前記チルト範囲規制部材の遊嵌する長穴を備えたことを特徴とする。
【００１０】
また本発明において、前記チルト範囲規制部材は、可動ブラケットの凸曲面から袋状に膨出されると共に、中央部の幅を狭く構成したことを特徴とする。
【００１１】
また本発明において、前記ベース部材の凹曲面は、下端側に向かって曲率が大きく形成されたことを特徴とする。
【００１２】
また本発明において、前記可動ブラケットの凸曲面は、下端側に向かって曲率が小さく形成されたことを特徴とする。
【００１３】
また本発明において、前記可動ブラケットの凸曲面の円周は、前記ベース部材の凹曲面の円周より長く形成されたことを特徴とする。
【発明の効果】
【００１４】
以上説明したように本発明のディスプレイの方向調整装置は、円柱状の凸曲面を有し、ディスプレイを保持する可動ブラケットと、前記凸曲面と摺接する円柱状の凹曲面を有するベース部材とからなり、前記凸曲面および凹曲面の中心は、前記ディスプレイと可動ブラケットの構成する重心と一致するので、戻しバネ等を必要とすることなく、上向きでも下向きでも同様の操作感を得ることができる。また、前記凸曲面、凹曲面の中心がディスプレイと稼働ブラケットの重心と一致しない場合であっても、重心のずれ量に応じた操作力（ディスプレイ保持力）が必要とされるだけであるから、許容範囲のずれがあったとしても、従来よりも良好な操作性を実現することができる。また、ディスプレイの保持力を小さくすることができる。さらに、装置全体の奥行きを小型化することができる。
【００１５】
また、本発明のディスプレイの方向調整装置において、前記可動ブラケットとベース部材とは、摺動部材によりチルト方向にのみ摺動可能に支承されたので、部品点数を少なくしてコストの低減を図ることができる。また、設計上の自由度が増し、従来と異なるデザイン化が可能となる。
【００１６】
また、本発明のディスプレイの方向調整装置において、前記可動ブラケットは、凸曲面にチルト範囲規制部材を有すると共に、前記ベース部材は、凹曲面に前記チルト範囲規制部材の遊嵌する長穴を備えたので、ディスプレイを左右のガタツキなしに安定して支承することができる。
【００１７】
また、本発明のディスプレイの方向調整装置において、前記チルト範囲規制部材は、可動ブラケットの凸曲面から袋状に膨出されると共に、中央部の幅を狭く構成したので、可動ブラケットの強度を向上することができると共に、摺動性を向上することができる。
【００１８】
また、本発明のディスプレイの方向調整装置において、前記ベース部材の凹曲面は、下端側に向かって曲率が大きく形成されたので、ディスプレイが下向きになるに従って摺動抵抗が増して、前後方向の倒れ込みを防止することができる。
【００１９】
また、本発明のディスプレイの方向調整装置において、前記可動ブラケットの凸曲面は、下端側に向かって曲率が小さく形成されたのでディスプレイが下向きになるに従って摺動抵抗が増して、前後方向の倒れ込みを防止することができる。
【００２０】
また、本発明のディスプレイの方向調整装置において、前記可動ブラケットの凸曲面の円周は、前記ベース部材の凹曲面の円周より長く形成されたので、ディスプレイの回動範囲を拡大することができる。また、大きな摺動面積で接触しているので、負荷が少なく、故障が少ない。更に、ベース部材、可動ブラケットを合成樹脂で製造することもできる。
【発明を実施するための最良の形態】
【００２１】
ディスプレイを保持する可動ブラケットとベース部材とを、円柱形状の摺動面で接触させると共に、前記円柱形状の中心を前記ディスプレイと可動ブラケットの構成する重心と一致させ、戻しバネ等を必要とすることなく、上向きでも下向きでも同様の操作感を得ることのできるディスプレイの方向調整装置を実現した。
【００２２】
以下、図面を参照して本発明の一実施の形態について説明する。図１は本発明の一実施形態であるディスプレイの方向調整装置を示す正面斜視図、図２は同ディスプレイの方向調整装置を示す背面斜視図、図３は、同ディスプレイの方向調整装置の可動ブラケットを示す背面斜視図、図４は同ディスプレイの方向調整装置のベース部を示す正面斜視図、図５は同ディスプレイの方向調整装置を示す縦断面図である。ここで、ディスプレイ１０は、ビス等で可動ブラケット１１の取り付面１１ａに取り付けられている。また、可動ブラケット１１は、円柱状の凸曲面１１ｂで円柱状の凹曲面１２ａを有するベース部材１２にチルト移動可能に取り付けられている。
【００２３】
可動ブラケット１１は、図３、図５に示すようにディスプレイ取り付け用のビス穴１３を有するとともに、取り付面１１ａ側にディスプレイ保持段部１４を有している。また、円柱状の凸曲面１１ｂには、シャフト１５の挿通される長穴１６が形成されている。更に、長穴１６の両側にワッシャの回転防止ピン１７の挿通される、ピン長穴１８、１８が形成されている。ピン長穴１８の外側にそれぞれチルト範囲規制部材１９、１９が可動ブラケット１１の凸曲面から袋状に膨出形成されている。ここで、長穴１６，ピン長穴１８，チルト範囲規制部材１９は、それぞれ平行に配置されている。また、チルト範囲規制部材１９は、中央部１９ａの幅が狭く構成されている。更に、円柱状の凸曲面１１ｂは、下端２１に向かってその曲率を小さく形成してもよい。また、可動ブラケット１１のチルト範囲規制部材１９を袋状とすることにより、モールド化を実現し、軽量化を図ることができる。
【００２４】
ベース部材１２は、可動ブラケット１１の円柱状の凸曲面１１ｂと摺接する円柱状の凹曲面１２ａを有している。また、円柱状の凹曲面１２ａには、ほぼ中央にシャフト１５の挿通される穴２０が形成されるとともに、両端にワッシャの回転防止ピン１７が立設されている。更に、回転防止ピン１７の外側には、チルト範囲規制部材１９の遊嵌される長穴１２ｂが形成されている。長穴１２ｂは、チルト範囲規制部材１９の幅広の端部が摺接する幅を有している。このため、両者の接触面積が少なく、摺動性を向上することができる。更に、可動ブラケット１１の左右のガタ付きを防止できる。また、円柱状の凹曲面１２ａは、下端２２に向かってその曲率半径を前記凸曲面に対して相対的に大きく又は小さく形成してもよい。すなわち、凸曲面と凹曲面との相対関係を下端側に向かって緩み方向に設定するか、締まり嵌め方向に設定するかの選択により、安定した支持（遊びの少ない嵌合）または、軽い操作感（遊びの多い嵌合）のいずれかの所望の操作感を得ることができる。更に、円柱状の凸曲面１１ｂの円周は、円柱状の凹曲面１２ａの円周長より長く形成されていて、可及的に大きな面で安定して支持することができるようになっている。
【００２５】
摺動部材２３は、図５に示すようにシャフト１５、ワッシャ２４、２５、コイルスプリング２６、ナット２７等から構成されている。したがって、シャフト１５は、ナット２７とワッシャ２４、２５で固定される。また、ナット２７の締め付け具合により、コイルスプリング２６の付勢力が調整され、摺動力を調整することができる。なお、ワッシャ２４とシャフト１５は、ベース部材１２と一体的に形成してもよい。
【００２６】
以上のように構成されたディスプレイの方向調整装置は、摺動部材２３のナット２７の締め付け具合により、コイルスプリング２６の付勢力を調整し、摺動性を調整できる。また、摺動面である円柱状の凸曲面１１ｂ及び円柱状の凹曲面１２ａの中心と、ディスプレイ１０及び可動ブラケット１１の構成する重心位置が一致するので、戻しバネの付勢力無しで上向き、下向きの双方に同様の操作感で移動することができる。更に、ディスプレイ１０の保持力を小さくすることが可能である。また、ディスプレイ１０の台座の奥行きの小型化が可能である。更に、部品点数が少ないので、製造コストの削減を図ることができとともに、従来と異なるデザインが可能である。    
【００２７】
なお、可動ブラケット、ベース部材は、その全体または一部を合成樹脂、強化プラスチック等で製造することができる。
また、上記実施形態では、強度確保及び精度向上のために回転防止ピン１７及びチルト範囲規制部材１９を２個設けたが、求められる強度及び精度に応じて１個にし、あるいは３個以上にしてもよい。
また上記実施形態では、強度確保及び精度向上の目的で、チルト範囲規制部材１９を設けたが、回転防止ピン１７もしくはシャフト１５にチルト範囲規制部材１９の機能を持たせ、チルト範囲規制部材１９を省略してもよい。
【図面の簡単な説明】
【００２８】
【図１】図１は、本発明の一実施形態であるディスプレイの方向調整装置を示す正面斜視図である。
【図２】図２は、同ディスプレイの方向調整装置を示す背面斜視図である。
【図３】図３は、同ディスプレイの方向調整装置の可動ブラケットを示す背面斜視図である。
【図４】図４は、同ディスプレイの方向調整装置のベース部を示す正面斜視図である。
【図５】図５は、同ディスプレイの方向調整装置を示す縦断面図である。
【図６】図６は、従来のディスプレイの方向調整装置の一例を示す説明図である。
【符号の説明】
【００２９】
１０    ディスプレイ    １１    可動ブラケット  １１ａ  取り付面
１１ｂ  円柱状の凸曲面  １２    ベース部材      １２ａ  円柱状の凹曲面
１２ｂ  長穴            １３    ビス穴          １４    ディスプレイ保持段部
１５    シャフト        １６    長穴            １７    回転防止ピン
１８    ピン長穴        １９    チルト範囲規制部材
２０    穴              ２１    下端            ２２    下端
２３    摺動部材        ２４、２５  ワッシャ    ２６    コイルスプリング
２７    ナット
【図１】
2005184604.tif 000003
【図２】
2005184604.tif 000004
【図３】
2005184604.tif 000005
【図４】
2005184604.tif 000006
【図５】
2005184604.tif 000007
【図６】
2005184604.tif 000008